(57)【要約】【課題】ロールペーパーを簡便に装着することができ、所要の長さ分を引き出したペーパーを軸心に対し左右いずれの方向でも片手で容易かつ確実に切り取ることができるようにする。【解決手段】ロールペーパーホルダー１は、ロールペーパーを装着してその巻き端から順次所要の長さ分だけ引き出して切り取るためのものである。ロールペーパーの円筒状の巻き芯部を嵌める筒状の支持軸２と、支持軸２の基端側に揺動自在に取り付けられている揺動レバー３とで構成される。揺動レバー３には、支持軸２と略平行に対応するカットバー５を設けてあるとともに、支持軸２内に介在していて軸心に対し支持軸２の左右にそれぞれ出没するストッパ７を備えている。カットバー５は、支持軸側が谷型形状となっている鋸歯状刃を有している。支持軸２の先端にはその端面と略同形の抜け止め板１０を備えている。【選択図】図１
2009160000.tif 000002
【特許請求の範囲】
【請求項１】
ロールペーパーを装着してその巻き端から順次所望の長さ分だけ引き出して切り取るロールペーパーホルダーであって、
ロールペーパーの円筒状の巻き芯部を嵌める筒状の支持軸と、
前記支持軸に同支持軸の軸心部を中心に揺動自在に取り付けられている揺動レバーとで構成され、
前記揺動レバーは、支持軸への取り付け状態において前記支持軸と略平行に配設されるカットバーを有し、
かつ前記支持軸内にカットバーの揺動角を規制する揺動角規制手段を備えている
ことを特徴とするロールペーパーホルダー。
【請求項２】
前記支持軸には、開口部が形成され、前記揺動レバーのカットバーを設けた反対側にストッパとなる突起を備え、前記揺動レバーが前記揺動角規制手段の特定位置に到達した場合、前記支持軸内部の開口部から前記突起が突出して前記ロールペーパーを前記支持軸に固定することを特徴とする請求項１に記載のロールペーパーホルダー。
【請求項３】
前記支持軸には、複数の開口部が形成され、前記揺動レバーは、前記複数の開口部に対応したストッパとなる複数の突起を備え、前記揺動レバーが前記揺動角規制手段の特定位置に到達した場合、前記支持軸内部の開口部から前記突起が突出して前記ロールペーパーを前記支持軸に固定することを特徴とする請求項２に記載のロールペーパーホルダー。
【請求項４】
カットバーは、支持軸側が谷型形状となっている鋸歯状刃を有していることを特徴とする請求項１から請求項３のいずれかに記載のロールペーパーホルダー。
【請求項５】
筒状の支持軸の先端は、支持軸の端面形状と略同形のロールペーパーの抜け止め板を備えており、この抜け止め板は中心部が自重で支持軸の軸心部から変位するように同軸部に取り付けられていることを特徴とする請求項１から請求項４のいずれかに記載のロールペーパーホルダー。
【発明の詳細な説明】
【技術分野】
【０００１】
本発明は、トイレットペーパーなどのロールペーパーを装着してその巻き端から順次所要の長さ分だけ引き出して切り取るロールペーパーホルダーに関するものである。
【背景技術】
【０００２】
ホルダー本体に装着したロールペーパーの巻き端をホルダー本体の奥側下面から少しだけ常に垂れ下げておき、使用時にはその垂れ下げ部分を摘んで手前側に所要長さ分だけ引き出し、ホルダー本体の手前側下部に位置するカッター部に引っ掛けて引き上げる片手操作で切り取ることができるようにしたトイレットペーパーホルダーは、特開平８−２８０５７７号公報において紹介されている。
【０００３】
また、ロールペーを装着する支持軸をその基端を固定してあって先端を開放状態とした片持ち構造のロールペーパーホルダーは、その全体の構成が簡素であるところから、従来から種々のものが提案されている（例えば、特開２０００−２３７０９２公報、特開２０００−９３３４６公報、特開２００１−７８９２１公報、特開２００１−３６０公報、実開平５−８２３９５号公報および実用新案登録第３０４２７１４号公報参照）。
【特許文献１】特開平８−２８０５７７号公報
【特許文献２】特開２０００−２３７０９２公報
【特許文献３】特開２０００−９３３４６公報
【特許文献４】特開２００１−７８９２１公報
【特許文献５】特開２００１−３６０公報
【特許文献６】実開平５−８２３９５号公報
【特許文献７】実用新案登録第３０４２７１４号公報
【発明の開示】
【発明が解決しようとする課題】
【０００４】
前掲の特開２０００−２３７０９２公報において紹介されているロールペーパーホルダーによれば、支持軸の開放端からロールペーパーを簡便に装着することができ、しかも所要の長さ分を引き出したペーパーをカットバーに当てて引き上げることにより、ロールペーパーを支持軸に固定して容易にカットできるので、使用にあたってはロールペーパーの引き出しとカッティングとを片手で容易にでき、手の一方が不自由であっても使い勝手のよいものである。
【０００５】
しかしながら、ロールペーパーの引き出しとカッティング操作は、ロールペーパーの軸心に対して一方向に限られるので、ペーパーホルダーの取付態様や場所の状況、あるいは使用者の身障度合や状態によっては、必ずしも使い勝手が良好でないことも実情である。
【０００６】
そこで本発明は、そのような問題点を解消しようとするものであって、支持軸の開放端からロールペーパーを簡便に装着することができ、しかも所要の長さ分を引き出したペーパーをカットバーを当てて軸心に対し左右いずれの方向に引き上げる操作をしても、ロールペーパーの引き出し分を片手で容易かつ確実に切り取ることができるロールペーパーホルダーを提供することを目的とするものである。
【課題を解決するための手段】
【０００７】
上記目的を達成するため、本発明が提供するロールペーパーホルダーは次の（１）〜（３）に記載のものである。
（１）  ロールペーパーを装着してその巻き端から順次所要の長さ分だけ引き出して切り取るロールペーパーホルダーであって、
ロールペーパーの円筒状の巻き芯部を嵌める筒状の支持軸と、
前記支持軸に同支持軸の軸心部を中心に揺動自在に取り付けられている揺動レバーとで構成され、
前記揺動レバーは、支持軸への取り付け状態において前記支持軸と略平行に配設されるカットバーを有し、
かつ前記支持軸内にカットバーの揺動角を規制する揺動角規制手段を備えている
ことを特徴とするロールペーパーホルダー。
（２）  前記（１）のロールペーパーホルダーのカットバーが、支持軸側が谷型形状となっている鋸歯状刃を有していることを特徴とする。
（３）  前記（１）又は（２）のロールペーパーホルダーの筒状の支持軸の先端が、支持軸の端面形状と略同形のロールペーパーの抜け止め板を備えており、この抜け止め板は中心部が自重で支持軸の軸心部から変位するように同軸部に取り付けられていることを特徴とする。
【０００８】
また、請求項２に係るロールペーパーホルダーは、請求項１記載の構成において、カットバーは、支持軸側が谷型形状となっている鋸歯状刃を有していることを特徴とするものである。
【０００９】
さらに、請求項３に係るロールペーパーホルダーは、請求項１または２記載の構成において、筒状の支持軸の先端には、支持軸の端面形状と略同形の抜け止め板を備えており、この抜け止め板は軸心に対し自重で変位する取付構造をなしていることを特徴とするものである。
【発明の効果】
【００１０】
本発明に係るロールペーパーホルダーによれば、ロールペーパーの円筒状の巻き芯部を嵌める筒状の支持軸の基端側に揺動自在に取り付けられている揺動レバーに、支持軸と略平行に対応するカットバーを設けるとともに、支持軸内に介在していて軸心に対し前記支持軸内にカットバーの揺動角を規制する揺動角規制手段を備えることにより、支持軸の開放端からロールペーパーを簡便に装着することができ、しかも所要の長さ分を引き出したペーパーをカットバーを当てて軸心に対し左右いずれの方向に引き上げる操作をしても、ロールペーパーの引き出し分を片手で容易かつ確実に切り取ることができる効果が得られる。
【発明を実施するための最良の形態】
【００１１】
図１は本発明の一実施の形態に係るロールペーパーホルダーの全体斜視図、図２は同上側面図、図３は図２のＡ−Ａ断面図、図４は図２のＢ−Ｂ断面図、図５は要部の作用説明図である。
【００１２】
図１ないし図４において、１はロールペーパーホルダーである。このロールペーパーホルダー１は、ロールペーパーの円筒状の巻き芯部を嵌める筒状の支持軸２と、前記支持軸２の基端側に揺動自在に取り付けられている揺動レバー３とで構成されており、前記支持軸２の基端は基板４に固定されて基板４に対して直交する方向に突出している。前記揺動レバー３には、前記支持軸２と略平行に対応するカットバー５が基側から垂下する基部アーム６と略直角に先端方向に延びており、カットバー５は支持軸２に対してロールペーパーの最大巻き半径よりやや離れた間隔を有している。揺動レバー３のカットバー５を設けた反対側にはストッパ７が設けられている。また、前記揺動レバー３は、前記支持軸２内に介在していて軸心に対し前記支持軸２内にカットバー５の揺動角を規制する開口部８を備えており、支持軸２の軸心に対する左右面には、ストッパ７に対応した開口部１６，１６‘が設けられている。揺動レバー３がカットバー５の揺動角を規制する開口部８の右又は左の端に到達したとき、開口部１６又は開口部１６‘からストッパ７が突出してロールペーパーを内部から固定する。基板４は壁面に取り付けて固定するが、その取付構造は図示を省略する。
【００１３】
前記カットバー５は、支持軸側が谷型形状となっている鋸歯状刃を有しているものであるが、カットバー５は図示の形態のものに限らず、ロールペーパーを切りやすい態様であればよい。
【００１４】
前記円筒状の支持軸２の先端には、支持軸２の端面形状と略同形の円板状の抜け止め板１０を備えており、この抜け止め板１０は軸心に対し自重で変位する取付構造をなしているものである。１１は案内長溝、１２はその係止突部である。なお、基板４には表示部１３があって、ここに使用説明を表記したりや適宜装飾を施すこととする。
【００１５】
本発明に係るロールペーパーホルダー１にロールペーパー１４を装着して使用可能な状態とするには、図５に示すように、支持軸２の先端側からロールペーパー１４の円筒状の巻き芯部１５を嵌めてロールペーパー１４をセットする。
【００１６】
ロールペーパー１４を使用するにあたっては、その最外径の巻き終わり端から所望の長さ分を引き出したうえ、カットバー５に当てて少し上向きに一方向へ引き上げる操作をすれば、図５に実線で示すように、揺動レバー３がロールペーパー１４の引き出し方向に傾いてカットバー５の揺動角を規制する開口部８の右又は左の端に到達するので、ストッパ７の先端が引き出し側の開口部１６又は開口部１６‘から突出してロールペーパー１４の芯部１５内を押さえるので、ロールペーパー１４が固定状態となり、その引き出した分をカットバー５により容易かつ確実に切り離すことができる。そして、この操作は片手で十分可能である。
【００１７】
ロールペーパー１４の所要の長さ分を引き出して切り取りは、図５に破線で示すように、カットバー５に当てて少し上向き他方向に引き上げる操作によっても同様にできるので、ロールペーパーホルダー１の取付態様や場所の状況、あるいは使用者の身障度合や状態に対応して使い勝手がよく、汎用性に優れいずれの使用態様においても高い機能性を発揮するものである。
【図面の簡単な説明】
【００１８】
【図１】本発明の一実施の形態に係るロールペーパーホルダーの全体斜視図である。
【図２】同上側面図である。
【図３】図２のＡ−Ａ断面図である。
【図４】図２のＢ−Ｂ断面図である。
【図５】要部の作用説明図である。
【符号の説明】
【００１９】
１    ロールペーパーホルダー
２    支持軸
３    揺動レバー
４    基板
５    カットバー
６    基部アーム
７    ストッパ
８    開口部
９    鋸歯状刃
１０    抜け止め板
１１    案内長溝
１２    係止突部
１３    表示部
１４    ロールペーパー
１５    芯部
１６    開口部
【図１】
2009160000.tif 000003
【図２】
2009160000.tif 000004
【図３】
2009160000.tif 000005
【図４】
2009160000.tif 000006
【図５】
2009160000.tif 000007